Podtech/llm-jp-corpus-v4-ja_patent huggingface dataset:
【手続補正書】
【提出日】平成28年4月1日(2016.4.1)
【手続補正１】
【補正対象書類名】明細書
【補正対象項目名】００２１
【補正方法】変更
【補正の内容】
【００２１】
（表続き）
2015512432.tif 000001
本発明のまた別の態様は、以下のとおりであってもよい。
〔１〕ドライ型加齢黄斑変性(dAMD)、ウェット型加齢黄斑変性(wAMD)、未熟児網膜症(ROP)、網膜中心静脈閉塞症(CRVO)、鼻ポリープ症、好酸球性食道炎、好酸球性胃腸炎(例えば好酸球性胃炎及び好酸球性腸炎)、好酸球増加症候群及びチャーグ・ストラウス症候群から選択される疾患の治療用薬物として使用するための下記式1
2015512432.tif 000002
（式中
R1はH、C1-6-アルキル、C0-4-アルキル-C3-6-シクロアルキル、C1-6-ハロアルキルであり；
R2はH、C1-6-アルキルであり；
Xは、塩化物イオン又は1/2ジベンゾイル酒石酸イオンから成る群より選択されるアニオンであり；
jは1又は2である）
の化合物。
〔２〕式中、
R1がH、C1-6-アルキルであり；
R2がH、C1-6-アルキルであり；
Xが、塩化物イオン又は1/2ジベンゾイル酒石酸イオンから成る群より選択されるアニオンであり；
jが1又は2である、
前記〔1〕に記載の化合物。
〔３〕式中、
R1がH、メチル、エチル、プロピル、ブチルであり；
R2がH、メチル、エチル、プロピル、ブチルであり；
Xが、塩化物イオン又は1/2ジベンゾイル酒石酸イオンから成る群より選択されるアニオン、好ましくは塩化物イオンであり；
jが1又は2、好ましくは2である、
前記〔1〕又は〔2〕に記載の化合物。
〔４〕式中、
R1がH、メチル、エチル、プロピル、ブチルであり；
R2がH、メチルであり；
Xが、塩化物イオン又は1/2ジベンゾイル酒石酸イオンから成る群より選択されるアニオン、好ましくは塩化物イオンであり；
jが1又は2、好ましくは2である、
前記〔1〕〜〔3〕のいずれか1項に記載の化合物。
〔５〕式中、
R1がH、メチルであり；
R2がH、メチルであり；
Xが、塩化物イオン又は1/2ジベンゾイル酒石酸イオンから成る群より選択されるアニオン、好ましくは塩化物イオンであり；
jが1又は2、好ましくは2である、
前記〔1〕〜〔4〕のいずれか1項に記載の化合物。
〔６〕式中、Xが塩化物イオンである、
前記〔1〕〜〔5〕のいずれか1項に記載の化合物。
〔７〕式中、jが2である、
前記〔1〕〜〔6〕のいずれか1項に記載の化合物。
〔８〕未熟児網膜症(ROP)、網膜中心静脈閉塞症(CRVO)、鼻ポリープ症及び好酸球性食道炎から選択される疾患の治療用薬物として使用するための前記〔1〕〜〔7〕のいずれか1項に記載の式1の化合物。
〔９〕鼻ポリープ症、好酸球性食道炎、好酸球性胃腸炎(例えば好酸球性胃炎及び好酸球性腸炎)、好酸球増加症候群及びチャーグ・ストラウス症候群から選択される疾患の治療ための前記〔1〕〜〔7〕のいずれか1項に記載の式1の化合物の使用。
〔１０〕鼻ポリープ症及び好酸球性食道炎から選択される疾患の治療のための前記〔9〕に記載の使用。
〔１１〕未熟児網膜症(ROP)及び網膜中心静脈閉塞症(CRVO)から選択される疾患の治療のための前記〔9〕に記載の使用。
【手続補正２】
【補正対象書類名】特許請求の範囲
【補正対象項目名】全文
【補正方法】変更
【補正の内容】
【特許請求の範囲】
【請求項１】
ドライ型加齢黄斑変性(dAMD)、ウェット型加齢黄斑変性(wAMD)、未熟児網膜症(ROP)、網膜中心静脈閉塞症(CRVO)、鼻ポリープ症、好酸球性食道炎、好酸球性胃腸炎(例えば好酸球性胃炎及び好酸球性腸炎)、好酸球増加症候群及びチャーグ・ストラウス症候群から選択される疾患の治療用の医薬組成物であって、１つ以上の下記式1
【化１】
2015512432.tif 000003
（式中
R1はH、C1-6-アルキル、C0-4-アルキル-C3-6-シクロアルキル、C1-6-ハロアルキルであり；
R2はH、C1-6-アルキルであり；
Xは、クロライド又は1/2ジベンゾイルタートレートから成る群より選択されるアニオンであり；
jは1又は2である）
の化合物を含有する、医薬組成物。
【請求項２】
式中、
R1がH、C1-6-アルキルであり；
R2がH、C1-6-アルキルであり；
Xが、クロライド又は1/2ジベンゾイルタートレートから成る群より選択されるアニオンであり；
jが1又は2である、
請求項1に記載の医薬組成物。
【請求項３】
式中、
R1がH、メチル、エチル、プロピル、ブチルであり；
R2がH、メチル、エチル、プロピル、ブチルであり；
Xが、クロライド又は1/2ジベンゾイルタートレートから成る群より選択されるアニオン、好ましくはクロライドであり；
jが1又は2、好ましくは2である、
請求項1又は2に記載の医薬組成物。
【請求項４】
式中、
R1がH、メチル、エチル、プロピル、ブチルであり；
R2がH、メチルであり；
Xが、クロライド又は1/2ジベンゾイルタートレートから成る群より選択されるアニオン、好ましくはクロライドであり；
jが1又は2、好ましくは2である、
請求項1〜3のいずれか1項に記載の医薬組成物。
【請求項５】
式中、
R1がH、メチルであり；
R2がH、メチルであり；
Xが、クロライド又は1/2ジベンゾイルタートレートから成る群より選択されるアニオン、好ましくはクロライドであり；
jが1又は2、好ましくは2である、
請求項1〜4のいずれか1項に記載の医薬組成物。
【請求項６】
式中、Xがクロライドである、
請求項1〜5のいずれか1項に記載の医薬組成物。
【請求項７】
式中、jが2である、
請求項1〜6のいずれか1項に記載の医薬組成物。
【請求項８】
未熟児網膜症(ROP)、網膜中心静脈閉塞症(CRVO)、鼻ポリープ症及び好酸球性食道炎から選択される疾患の治療用である、請求項1〜7のいずれか1項に記載の医薬組成物。
【請求項９】
鼻ポリープ症、好酸球性食道炎、好酸球性胃腸炎(例えば好酸球性胃炎及び好酸球性腸炎)、好酸球増加症候群及びチャーグ・ストラウス症候群から選択される疾患の治療用である、請求項1〜7のいずれか1項に記載の医薬組成物。
【請求項１０】
鼻ポリープ症及び好酸球性食道炎から選択される疾患の治療用である、請求項9に記載の医薬組成物。
【請求項１１】
未熟児網膜症(ROP)及び網膜中心静脈閉塞症(CRVO)から選択される疾患の治療用である、請求項８に記載の医薬組成物。
【誤訳訂正書】
【提出日】平成28年6月3日(2016.6.3)
【誤訳訂正１】
【訂正対象書類名】特許請求の範囲
【訂正対象項目名】全文
【訂正方法】変更
【訂正の内容】
【特許請求の範囲】
【請求項１】
高圧供給部から、制御可能なインジェクタを介する内燃機関の燃焼室内への燃料の供給を制限するための装置であって、圧力供給側のハウジング入口とインジェクタ側のハウジング出口とを備えたハウジングを有しており、前記ハウジング入口と前記ハウジング出口とが、少なくとも１つの絞りを有する通路を介して互いに流体接続されており、またチャンバ内において初期位置と終端位置との間で長手方向に可動で、かつ流れ方向に抗してばね付勢された閉鎖部材を有しており、該閉鎖部材は、前記ハウジング入口と前記ハウジング出口との間の流体接続を制御する形式のものにおいて、
少なくとも１つの前記通路が前記チャンバの半径方向外側に延在していて、
前記チャンバが円筒形の構成部分内に形成されていて、該構成部分の外周壁が環状通路を形成しながらハウジングの円筒形の内周壁から半径方向に間隔を保って配置されており、該構成部分の圧力供給側のインレット開口が前記ハウジング入口から軸方向に間隔を保って配置されていて、前記環状通路が、前記円筒形の構成部分を貫通する少なくとも１つの絞り孔を介して前記チャンバに接続されていて、
前記閉鎖部材がボールによって形成されていて、
少なくとも１つの前記通路が前記環状通路と少なくとも１つの前記絞り孔とを含むことを特徴とする、内燃機関の燃焼室内への燃料の供給を制限するための装置。
【請求項２】
前記チャンバが、圧力供給側で前記ハウジング入口に接続され、インジェクタ側で前記ハウジング出口に接続されていることを特徴とする、請求項１に記載の装置。
【請求項３】
前記チャンバが、前記ハウジング入口に面した第１の支持面と、前記ハウジング出口に面した第２の支持面とを有しており、前記第１の支持面と前記閉鎖部材とが前記初期位置において協働し、前記第２の支持面と前記閉鎖部材とが前記終端位置において協働し、前記絞り孔が、前記第１の支持面と前記第２の支持面との間に配置された、前記チャンバの軸方向領域内に開口していることを特徴とする、請求項１または２に記載の装置。
【誤訳訂正２】
【訂正対象書類名】明細書
【訂正対象項目名】０００１
【訂正方法】変更
【訂正の内容】
【０００１】
本発明は、高圧供給部から、制御可能なインジェクタを介する内燃機関の燃焼室内への燃料の供給を制限するための装置であって、圧力供給側のハウジング入口とインジェクタ側のハウジング出口とを備えたハウジングを有しており、前記ハウジング入口とハウジング出口とが、少なくとも１つの絞りを有する通路を介して互いに流体接続されており、またチャンバ内において初期位置と終端位置との間で長手方向に可動で、かつ流れ方向に抗してばね付勢された閉鎖部材を有しており、該閉鎖部材は、前記ハウジング入口と前記ハウジング出口との間の流体接続を制御する形式のものに関する。
【誤訳訂正書】
【提出日】平成28年4月25日(2016.4.25)
【誤訳訂正１】
【訂正対象書類名】明細書
【訂正対象項目名】０００７
【訂正方法】変更
【訂正の内容】
【０００７】
この場合、制御輪郭部が制御シャフトの基礎円内に配置されていると、簡単で廉価な組立てのために特に有利である。
【誤訳訂正２】
【訂正対象書類名】明細書
【訂正対象項目名】００１８
【訂正方法】変更
【訂正の内容】
【００１８】
別の図面により詳細に図示され説明されるように、制御シャフト５８の回動は、ガス流入弁８，１０の互いに異なる最大リフトをもたらす。作業輪郭６０，６２が、制御シャフト５８の基礎円内に位置していることによって、制御シャフトの特に簡単な支持が可能である。これに関しては、独国特許出願公開第１０２００４００３３２７号明細書が参照される。この場合、制御シャフト５８は、一部分から形成されていても、複数の部分から形成されていてもよいことが示唆されている。さらに、制御シャフト５８は、作動装置（図示せず）の較正を簡単にするために、端部ストッパを有していてよい。
【誤訳訂正３】
【訂正対象書類名】特許請求の範囲
【訂正対象項目名】全文
【訂正方法】変更
【訂正の内容】
【特許請求の範囲】
【請求項１】
それぞれ少なくとも１つのガス流入弁（８，１０）と少なくとも１つのガス流出弁とを有する少なくとも２つのシリンダ（４，６）を備えた内燃機関用の、機械的に制御可能な動弁アセンブリであって、少なくとも各ガス流入弁（８，１０）に、中間レバーアセンブリ（２２，２４）および旋回レバーアセンブリ（２６，２８）が対応して配置されているように、少なくとも１つの伝達アセンブリ（１８，２０）が設けられており、
前記中間レバーアセンブリ（２２，２４）の中間レバー（３０，３２）は、前記旋回レバーアセンブリ（２６，２８）の旋回レバー（４６，４８）に作用結合する作業湾曲部（３８，４０）を有しており、
前記中間レバー（３０，３２）は、カムシャフト（１２）の周囲輪郭部（１４，１６）に作用結合しており、
前記中間レバーアセンブリ（２２，２４）は、作用機構（６４，６６）を有しており、種々様々な弁リフト位置が調節可能であり、少なくとも１つの休止シリンダ（４）の前記ガス流入弁（８）のゼロリフト位置が可能であるように、前記作用機構（６４，６６）が弁リフト調節装置の複数の制御輪郭部（６０，６２）のうちの対応する制御輪郭部（６０，６２）に作用結合しており、
前記弁リフト調節装置は、制御シャフト（５８）を有しており、該制御シャフト（５８）に、前記複数の制御輪郭部（６０，６２）が配置されており、全ての制御輪郭部（６０，６２）は、アイドリング範囲および全負荷範囲のためにはほぼ同一に形成されており、
前記休止シリンダ（４）に設けられた前記ガス流入弁（８）の、部分負荷範囲用の前記制御輪郭部（６０）は、残りのシリンダ（６）に設けられた前記ガス流入弁（１０）の、部分負荷範囲用の前記制御輪郭部（６２）に対して異なって形成された部分片（６８）を有しており、
各制御輪郭部（６０，６２）の半径（ｒ）と、前記ガス流入弁（８，１０）のリフト高さ（ｈ）とは正比例しており、１つのシリンダ（４，６）の前記ガス流入弁（８，１０）の前記リフト高さ（ｈ）は、該シリンダ（４，６）の平均圧力（ｐ）に対応しており、
前記内燃機関の部分負荷範囲では、前記内燃機関のシリンダ（４，６）全体に関する圧力ｐｇｅｓが、前記制御シャフト（５８）の調節角度にわたって単調に上昇するように変化するように、前記複数の制御輪郭部（６０，６２）のうちの第１の制御輪郭部（６０）の半径（ｒ１）は、前記複数の制御輪郭部（６０，６２）のうちの第２の制御輪郭部（６２）の半径（ｒ２）に関連して選択されている、
ことを特徴とする、機械的に制御可能な動弁アセンブリ。
【請求項２】
前記制御輪郭部（６０，６２）は、前記制御シャフト（５８）の基礎円内に配置されている、請求項１記載の機械的に制御可能な動弁アセンブリ。
【請求項３】
前記制御シャフト（５８）は、その端部に、前記弁リフト調節装置の較正を容易にするためのストッパを有している、請求項１または２記載の機械的に制御可能な動弁アセンブリ。
【請求項４】
前記休止シリンダ（４）に対応配置された前記制御輪郭部（６０）に設けられた前記部分片（６８）は、前記残りのシリンダに対応配置された前記制御輪郭部（６２）の対応する部分片に対してセットバックして配置されている、請求項１または２記載の機械的に制御可能な動弁アセンブリ。
【請求項５】
２つの中間レバー（３０，３２）は、１つの結合シャフトを介して、前記作業湾曲部（３８，４０）とは反対の側に位置する端部において互いに結合されており、前記カムシャフト（１２）の力伝達用に第１のローラが設けられており、前記中間レバー（３０，３２）の間に滑子案内部内でのガイドのために第２のローラが設けられている、請求項１から４までのいずれか１項記載の機械的に制御可能な動弁アセンブリ。
【請求項６】
前記部分負荷範囲では、前記シリンダ（４，６）のうちの半数のシリンダが休止している、請求項１から５のうちのいずれか１項に記載の機械的に制御可能な動弁アセンブリを備えた内燃機関。
【請求項７】
請求項６記載の内燃機関を運転する方法において、
トルクが上昇する方向で見て、アイドリング範囲では、全てのシリンダ（４，６）の少なくとも全てのガス流入弁（８，１０）を同一の、増大していくリフト高さで運転し、アイドリング範囲と部分負荷範囲との間の移行範囲では、前記シリンダのうちの半数のシリンダ（６）の前記ガス流入弁（１０）を増大していくリフト高さで運転し、前記シリンダのうちの別の半数のシリンダ（４）の前記ガス流入弁（８）を減少していくリフト高さで運転し、部分負荷範囲では、前記シリンダのうちの半数のシリンダ（６）の前記ガス流入弁（１０）を増大していくリフト高さで運転し、前記シリンダのうちの別の半数のシリンダ（４）の前記ガス流入弁（８）を、ゼロリフトで運転し、部分負荷範囲と全負荷範囲との間の移行範囲では、前記シリンダのうちの半数のシリンダ（６）の前記ガス流入弁（１０）を減少していくリフト高さで運転し、前記シリンダのうちの別の半数のシリンダ（４）の前記ガス流入弁（８）を増大していくリフト高さで運転し、全負荷範囲では、前記全てのシリンダ（４，６）の全てのガス流入弁（８，１０）を同一の、増大していくリフト高さで運転する、ことを特徴とする、内燃機関を運転する方法。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
被験体におけるアテローム性動脈硬化の処置に使用するための医薬組成物であって、
該医薬組成物は以下の構造を有する治療上有効な量の化合物、あるいは、その薬学的に許容可能な塩、代謝物、溶媒和物、または、プロドラッグを含み、
【化１】
2015512407.tif 000001
式中、ＸおよびＹの各々は、独立して、酸素、ＮＲ５または硫黄であり、
Ｒは水素またはＣ（＝Ｏ）Ｃ１−Ｃ８アルキルであり、
Ｒ１、Ｒ２およびＲ３の各々は、独立して、水素、メチル、または、（ＣＨ２）ｍ−ＣＨ３であり、
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員環または６員環のラクトン、Ｃ１−Ｃ８アルキル、Ｃ２−Ｃ８アルケニル、Ｃ２−Ｃ８アルキニル、アリール、グルコシルであり、ここで、５員環または６員環のラクトン、Ｃ１−Ｃ８アルキル、Ｃ２−Ｃ８アルケニル、Ｃ２−Ｃ８アルキニル、アリールおよびグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキルおよびＣ１−Ｃ８ハロアルキルから選ばれた１つ以上の置換基によって随意に置換され、
Ｒ５およびＲ６の各々は、独立して、水素またはＣ１−Ｃ８アルキルであり、
Ｒ７はＣ１−Ｃ８アルキル、ＯＲ５またはＮＲ５Ｒ６であり、
ｍ＝１−１２であり、および、
ｎ＝１−１２である、医薬組成物。
【請求項２】
前記化合物が被験体におけるＰＤＧＦ−誘発性平滑筋細胞増殖又は遊走を阻害する、新生内膜形成を減少させる、低比重リポタンパク質（ＬＤＬ）コレステロールを下げる又は通常の低比重リポタンパク質（ＬＤＬ）コレステロールレベルを維持することを特徴とする、請求項１記載の医薬組成物。
【請求項３】
前記アテローム性動脈硬化が冠動脈疾患、動脈瘤、動脈硬化、心筋梗塞、塞栓症、脳卒中、血栓症、狭心症、血管プラーク炎症、血管プラーク破裂、川崎病、石灰化又は炎症に関連することを特徴とする、請求項１記載の医薬組成物。
【請求項４】
前記化合物が被験体の血管系において１つ以上のアテローム性動脈硬化病変の生成又は発達を阻害することを特徴とする、請求項１記載の医薬組成物。
【請求項５】
被験体における炎症関連の動脈硬化血管疾患を予防する又は処置する、Ｃ−反応性タンパク質を減少させる、低比重リポタンパク質（ＬＤＬ）コレステロールを下げる又は通常の低比重リポタンパク質（ＬＤＬ）コレステロールレベルを維持するために使用するための医薬組成物であって、該医薬組成物は、以下の構造を有する治療上有効な量のシクロヘキセノン化合物、あるいは、その薬学的に許容可能な塩、代謝物、溶媒和物、または、プロドラッグを含み、
【化２】
2015512407.tif 000002
式中、ＸおよびＹの各々は、独立して、酸素、ＮＲ５または硫黄であり、
Ｒは水素またはＣ（＝Ｏ）Ｃ１−Ｃ８アルキルであり、
Ｒ１、Ｒ２およびＲ３の各々は、独立して、水素、メチルまたは（ＣＨ２）ｍ−ＣＨ３であり、
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員環または６員環のラクトン、Ｃ１−Ｃ８アルキル、Ｃ２−Ｃ８アルケニル、Ｃ２−Ｃ８アルキニル、アリール、グルコシルであり、ここで、５員環または６員環のラクトン、Ｃ１−Ｃ８アルキル、Ｃ２−Ｃ８アルケニル、Ｃ２−Ｃ８アルキニル、アリールおよびグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、および、Ｃ１−Ｃ８ハロアルキルから選ばれた１つ以上の置換基によって随意に置換され、
Ｒ５およびＲ６の各々は、独立して、水素またはＣ１−Ｃ８アルキルであり、
Ｒ７はＣ１−Ｃ８アルキル、ＯＲ５またはＮＲ５Ｒ６であり、
ｍ＝１−１２であり、および、
ｎ＝１−１２である、医薬組成物。
【請求項６】
前記化合物が被験体における低比重リポタンパク質（ＬＤＬ）受容体発現を誘導する、又は肝臓におけるＬＤＬＲ発現を増加させることを特徴とする、請求項５に記載の医薬組成物。
【請求項７】
前記被験体がヒトであることを特徴とする、請求項１乃至５のいずれか１つに記載の医薬組成物。
【請求項８】
前記化合物がＡｎｔｒｏｄｉａ  ｃａｍｐｈｏｒａｔａから分離されることを特徴とする、請求項１乃至５のいずれか１つに記載の医薬組成物。
【請求項９】
Ｒが水素、Ｃ（＝Ｏ）Ｃ３Ｈ８、Ｃ（＝Ｏ）Ｃ２Ｈ５又はＣ（＝Ｏ）ＣＨ３であることを特徴とする、請求項１乃至５のいずれか１つに記載の医薬組成物。
【請求項１０】
Ｒ１、Ｒ２及びＲ３の各々が独立して水素、メチル、エチル、プロピル、ブチル、ペンチル、ヘキシル、ヘプチル又はオクチルであることを特徴とする、請求項１乃至５のいずれか１つに記載の医薬組成物。
【請求項１１】
Ｒ４が、Ｃ２Ｈ５Ｃ（ＣＨ３）２ＯＨ、Ｃ２Ｈ５Ｃ（ＣＨ３）２ＯＣＨ３、ＣＨ２ＣＯＯＨ、Ｃ２Ｈ５ＣＯＯＨ、ＣＨ２ＯＨ、Ｃ２Ｈ５ＯＨ、ＣＨ２Ｐｈ、Ｃ２Ｈ５Ｐｈ、ＣＨ２ＣＨ＝Ｃ（ＣＨ３）（ＣＨＯ）、ＣＨ２ＣＨ＝Ｃ（ＣＨ３）（Ｃ（＝Ｏ）ＣＨ３）、５員環または６員環のラクトン、Ｃ１−Ｃ８アルキル、アリール、および、グルコシルであり、ここで、５員環または６員環のラクトン、Ｃ１−Ｃ８アルキル、アリール、および、グルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、および、Ｃ１−Ｃ８ハロアルキルから選ばれる１つ以上の置換基によって随意に置換されることを特徴とする、請求項１乃至５のいずれか１つに記載の医薬組成物。
【請求項１２】
Ｒ４が、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、および、Ｃ１−Ｃ８ハロアルキルから選ばれる１つ以上の置換基によって随意に置換されるＣ１−Ｃ８アルキルであることを特徴とする、請求項１１記載の医薬組成物。
【請求項１３】
Ｒ４が、ＣＨ２ＣＨ＝Ｃ（ＣＨ３）２であることを特徴とする、請求項１２記載の医薬組成物。
【請求項１４】
前記化合物が以下であることを特徴とする、請求項１３に記載の医薬組成物。
【化３】
2015512407.tif 000003
【請求項１５】
前記化合物、あるいは、その薬学的に許容可能な塩、代謝物、溶媒和物又はプロドラッグが、非経口、静脈内、経口又は注入によって投与されることを特徴とする、請求項１乃至５のいずれか１つに記載の医薬組成物。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
感染の予防、阻止、または治療のための水性組成物であって：
抗菌活性を有する１つ以上の合成カチオン性ポリペプチドを含む混合物；および
合成カチオン性ポリペプチドではない第二の薬理学的に許容されるポリマー、
を含み；
ここで、前記１つ以上の合成カチオン性ポリペプチドおよび前記第二の薬理学的に許容されるポリマーの各量は、前記水性組成物の全体積に対して少なくとも約１００μｇ／ｍＬであり；
ここで、前記第二の薬理学的に許容されるポリマーの量は、前記１つ以上の合成カチオン性ポリペプチドの重量に対して少なくとも約１０重量％であり；
ここで、前記１もしくは複数の合成カチオン性ポリペプチドの１つ以上が、少なくとも４０アミノ酸残基の鎖長を有するセグメントを含み；および
ここで、前記１もしくは複数の合成カチオン性ポリペプチドおよび前記第二の薬理学的に許容されるポリマーは、互いに水に混和性である、
水性組成物。
【請求項２】
前記１もしくは複数の合成カチオン性ポリペプチドが、実質的にすべてが天然アミノ酸であるサブユニットを含む、請求項１に記載の組成物。
【請求項３】
前記１もしくは複数の合成カチオン性ポリペプチドが、少なくとも５つの連続するカチオン性アミノ酸残基を含有する少なくとも１つのセグメント、および少なくとも５つの連続する疎水性アミノ酸残基を含有する少なくとも１つのセグメントを特徴とする、請求項１または２に記載の組成物。
【請求項４】
前記第二の薬理学的に許容されるポリマーが、セルロース、アルギネート、コラーゲン、ポリマー界面活性剤、ポリエチレングリコール、ポリビニルアルコール、ポリウレタン、ポリビニルピロリジノン（ＰＶＰ）、フィブリン（フィブリノーゲン）、血液タンパク質、および組織タンパク質から成る群より選択される、請求項１から３のいずれか一項に記載の組成物。
【請求項５】
前記抗菌活性が、１００μｇ／ｍＬ以下の合成カチオン性ポリペプチドの濃度での標準的な６０分間時間‐殺菌アッセイ（time-kill assays）において、表皮ブドウ球菌（Stap
hylococcus epidermidis）および大腸菌（Escherichia coli）の３ｌｏｇ超の殺菌である、請求項１から４のいずれか一項に記載の組成物。
【請求項６】
前記組成物が、さらに、４０ｍｇ／ｍＬ以下の全ポリマー濃度にて、生体外においてバイオフィルムを破壊または阻害する能力を特徴とする、請求項１から５のいずれか一項に記載の組成物。
【請求項７】
前記組成物が、さらに、４０ｍｇ／ｍＬ以下の全ポリマー濃度にて、２ｌｏｇ超のアニオン性染料の拡散速度の減少によって測定されるバリア活性を特徴とする、請求項１から６のいずれか一項に記載の組成物。
【請求項８】
前記組成物が、さらに、４０ｍｇ／ｍＬ未満の全ポリマー濃度にて、少なくとも５０Ｐａの貯蔵弾性率を特徴とする、請求項１から７のいずれか一項に記載の組成物。
【請求項９】
前記組成物が、さらに、６０Ｎ未満の圧力を用いて２０ｇのニードルを通過する能力を特徴とする、請求項１から８のいずれか一項に記載の組成物。
【請求項１０】
前記組成物が、さらに、２０ｇのニードルを通過する能力、および１０分以内に貯蔵弾性率で測定されるその強度の少なくとも７０％を回復する能力を特徴とする、請求項１から９のいずれか一項に記載の組成物。
【請求項１１】
溶液、ゲル、クリーム、フォーム、またはドレッシング材の形態である、請求項１から１０のいずれか一項に記載の組成物。
【請求項１２】
前記組成物が、さらに、ガーゼまたはスポンジが挙げられるがこれらに限定されないドレッシング材と組み合わされているか、または結合されていることを特徴とする、請求項１から１１のいずれか一項に記載の組成物。
【請求項１３】
前記組成物が、凝血促進剤活性、止血促進剤活性、またはその両方を有する、請求項１から１２のいずれか一項に記載の組成物。
【請求項１４】
ステロイド、炎症促進剤、抗炎症剤、抗ざ瘡剤、保存剤、止血剤、血管新生剤、創傷治癒剤、抗癌剤、およびその他の抗菌剤から成る群より選択される薬理活性成分（ＡＰＩ）をさらに含む、請求項１から１３のいずれか一項に記載の組成物。
【請求項１５】
感染の予防、感染の治療、局所的抗感染治療、微生物除菌のための治療、創傷治療、外科手術部位治療、外傷治療、熱傷治療、糖尿病性足部潰瘍の治療、眼の治療、膣内感染の治療、尿路感染の治療、手の消毒、プロステーシスデバイスおよび／またはインプラントのコーティング用、食物の保存、ならびに溶液の保存から成る群より選択されるいずれか１つ以上のための、請求項１から１４のいずれか一項に記載の組成物。
【請求項１６】
対象の組織と接触される、感染の予防および／または治療のための請求項１から１５のいずれか一項に記載の組成物。
【請求項１７】
前記対象の創傷に陰圧がさらに適用される、請求項１６に記載の組成物。
【請求項１８】
前記対象を全身的に治療するための全身的投与のための他の抗生物質、ならびに／または、前記対象を局所的に治療するための別の抗菌剤、および／もしくは抗生物質、抗バイオフィルム剤、界面活性剤、およびこれらの組み合わせから成る群より選択される少なくとも１つと共に投与される、請求項１６または１７に記載の組成物。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
多発性硬化症（ＭＳ）に罹患した被験者または臨床的に摘出された症候群（ＣＩＳ）を呈する被験者を治療する医薬の製造における、ある量のラキニモドまたはその医薬的に許容可能な塩の使用であって、前記医薬は或る量のフマル酸ジメチル（ＤＭＦ）またはその医薬的に許容可能なその塩の付加療法として、またはこれと組み合わせて使用するために調製され、一緒に摂取されるときの前記量は、同じ量の各薬剤が単独で投与されるときよりも、前記被験者を治療するのに有効である使用。
【請求項２】
多発性硬化症（ＭＳ）に罹患した被験者または臨床的に摘出された症候群（ＣＩＳ）を呈する被験者を治療する医薬の製造における、ある量のラキニモドまたはその医薬的に許容可能な塩およびある量のフマル酸ジメチル（ＤＭＦ）またはその医薬的に許容可能な塩の使用であって、前記量は一緒に摂取されるときに、同じ量の各薬剤が単独で投与されるときよりも、前記被験者を治療するのに有効である使用。
【請求項３】
請求項１または２に記載の使用であって、前記量のラキニモドはラキニモドナトリウムである使用。
【請求項４】
請求項１〜３の何れか１項に記載の使用であって：
ａ）  前記量のラキニモドおよび／または前記量のＤＭＦは、経口投与のために調製されることと；
ｂ）  前記量のラキニモドおよび／または前記量のＤＭＦは、毎日投与のために調製されることと；
ｃ）  前記ラキニモドの量は０．０３〜６００ｍｇであることと；
ｄ）  前記ＤＭＦの量は１２〜７２００ｍｇであること
を特徴とする使用。
【請求項５】
請求項１〜４の何れか１項に記載の使用であって、前記ラキニモドの量は０.０３ｍｇ、０．６ｍｇまたは１．２ｍｇである使用。
【請求項６】
請求項４に記載の使用であって、前記ＤＭＦの量は１２０ｍｇ、３６０ｍｇ、４８０ｍｇまたは７２０ｍｇである使用。
【請求項７】
請求項１〜６の何れか１項に記載の使用であって、前記量のラキニモドまたはその医薬的に許容可能な塩および前記量のフマル酸ジメチル（ＤＭＦ）またはその医薬的に許容可能な塩は、一緒に摂取したときに、前記被験者におけるＭＳの症状を緩和するのに効果的である使用。
【請求項８】
請求項７に記載の使用であって、前記症状は、ＭＲＩでモニターされる多発性硬化症疾患活性、再発率、身体的能力障害の蓄積、再発の頻度、臨床的悪化の頻度、脳萎縮、確認される進行のリスク、または確認される疾患進行までの時間である使用。
【請求項９】
請求項１〜８の何れか１項に記載の使用であって、前記ＭＳは再発性ＭＳである使用。
【請求項１０】
請求項８に記載の使用であって、前記身体的能力障害の蓄積は、クルツケの拡大された能力障害状態スケール（ＥＤＳＳ）スコアによって測定され、または前記身体的能力障害の蓄積は、クルツケの拡大された能力障害状態スケール（ＥＤＳＳ）スコアによって測定される確認される疾患進行までの時間によって評価される使用。
【請求項１１】
請求項１および請求項３〜１０の何れか１項に記載の使用であって、前記ＤＭＦの投与は、実質的に前記ラキニモドの投与に先行する使用。
【請求項１２】
請求項１１に記載の使用であって、前記被験者は前記ラキニモド療法を開始する前にＤＭＦ療法を受けている使用。
【請求項１３】
請求項１〜１２の何れか１項に記載の使用であって、前記医薬は更に、非ステロイド抗炎症薬（ＮＳＡＩＤ）、サリチル酸、遅効性薬物金化合物、ヒドロキシクロロキン、スルファサラジン、遅効性薬物の組合せ、副腎皮質ステロイド、細胞障害性薬物、免疫抑制薬および／または抗体を含有し、またはこれらと組合せた使用のために調製される使用。
【請求項１４】
請求項１〜１３の何れか１項に記載の使用であって、単独で摂取されるときの前記量のラキニモドまたはその医薬的に許容可能な塩、および単独で摂取されるときの前記量ＤＭＦまたはその医薬的に許容可能な塩、または単独で摂取されるときの各々のこのような量は、前記被験者を治療するために有効ではない使用。
【請求項１５】
ａ）ある量のラキニモドまたはその医薬的に許容可能な塩、および医薬的に許容可能なキャリアを含んでなる第一の医薬組成物と、
ｂ）ある量のＤＭＦまたは医薬的に許容可能なその塩、および医薬的に許容可能なキャリアを含んでなる第二の医薬組成物と、
ｃ）ＭＳに罹患した患者または臨床的に摘出された症候群を呈示する患者を治療するための、前記第一および前記第二の医薬組成物を一緒に使用するための説明書と
を具備してなるパッケージ。
【請求項１６】
請求項１５に記載のパッケージであって、ＭＳに罹患した患者または臨床的に摘出された症候群を呈示する患者の治療において使用するためのパッケージ。
【請求項１７】
ある量のラキニモドまたはその医薬的に許容可能な塩、ある量のＤＭＦまたは医薬的に許容可能なその塩、および少なくとも一つの医薬的に許容可能なキャリアを含んでなる医薬組成物。
【請求項１８】
請求項１７に記載の医薬組成物であって、前記ラキニモドの量が０．０３〜６００ｍｇであり、前記ＤＭＦの量が１２〜７２００ｍｇである医薬組成物。
【請求項１９】
請求項１８に記載の医薬組成物であって、前記ラキニモドの量が０．３ｍｇ、０．６ｍｇまたは１．２ｍｇであり、および／または前記ＤＭＦの量が１２０ｍｇ、２４０ｍｇ、４８０ｍｇまたは７２０ｍｇである医薬組成物。
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
１種または複数の抗生物質化合物および配合剤を含み、その際、前記配合剤が、乳酸またはその薬学的に許容される塩、生理学的条件下でイオン化可能な側鎖官能基を有するアミノ酸またはその薬学的に許容される塩、あるいは前記のものの組合せを含み；かつ前記１種または複数の抗生物質化合物が、下式の化合物
【化１】
2015512413.tif 000001
およびその薬学的に許容される塩：
［式中、
Ｒ１０は、水素、アシル、またはプロドラッグ部分であり；
Ｗは、Ｈ、Ｆ、Ｃｌ、Ｂｒ、Ｉ、またはＯＨであり；
Ａは、ＣＨ２、Ｃ（Ｏ）、Ｃ（Ｏ）Ｏ、Ｃ（Ｏ）ＮＨ、Ｓ（Ｏ）２、Ｓ（Ｏ）２ＮＨ、またはＣ（Ｏ）ＮＨＳ（Ｏ）２であり；
Ｂは、Ｃ２〜Ｃ１０アルケニレンまたはＣ１〜Ｃ１０アルキレンであり；かつ
Ｃは、水素、ヒドロキシ、アシル、アシルオキシ、スルホニル、ウレイド、もしくはカルバモイル、またはアルキル、アルコキシ、ヘテロアルキル、ヘテロアルコキシ、アリール、アリールアルキル、ヘテロアリール、もしくはヘテロアリールアルキル（それぞれ場合によって置換されている）である］
である、非経口投与のために適合させた医薬組成物。
【請求項２】
Ｒ１０が水素である、請求項１に記載の組成物。
【請求項３】
ＷがＨまたはＦである、請求項１または２に記載の組成物。
【請求項４】
ＷがＦである、請求項１から３のいずれか一項に記載の組成物。
【請求項５】
ＡがＣＨ２である、請求項１から４のいずれか一項に記載の組成物。
【請求項６】
Ｂが（ＣＨ２）ｎであり、ここで、ｎは、３〜５の整数である、請求項１から５のいずれか一項に記載の組成物。
【請求項７】
Ｂが（ＣＨ２）３である、請求項１から６のいずれか一項に記載の組成物。
【請求項８】
Ｃが、場合によって置換されているアリールである、請求項１から７のいずれか一項に記載の組成物。
【請求項９】
Ｃが３−アミノフェニルである、請求項１から８のいずれか一項に記載の組成物。
【請求項１０】
前記化合物のうちの１種がソリスロマイシンまたはその薬学的に許容される塩である、請求項１から９のいずれか一項に記載の組成物。
【請求項１１】
前記化合物のうちの１種がソリスロマイシンである、請求項１から１０のいずれか一項に記載の組成物。
【請求項１２】
前記配合剤が、ヒスチジンまたはその薬学的に許容される塩、あるいはその組合せを含む、請求項１から１１のいずれか一項に記載の組成物。
【請求項１３】
前記配合剤が、アスパラギン酸またはその薬学的に許容される塩、あるいはその組合せを含む、請求項１から１２のいずれか一項に記載の組成物。
【請求項１４】
前記配合剤が、グルタミン酸またはその薬学的に許容される塩、あるいはその組合せを含む、請求項１から１３のいずれか一項に記載の組成物。
【請求項１５】
前記配合剤が、ヒスチジンまたはその薬学的に許容される塩、アスパラギン酸またはその薬学的に許容される塩、およびグルタミン酸またはその薬学的に許容される塩、あるいはその組合せを含む、請求項１から１１のいずれか一項に記載の組成物。
【請求項１６】
水を含有する液体ビヒクルをさらに含む、請求項１から１５のいずれか一項に記載の組成物。
【請求項１７】
前記液体ビヒクルが、約０．９％もしくはそれより低い濃度の生理食塩水を含有する、請求項１５に記載の組成物。
【請求項１８】
前記液体ビヒクルが、塩化ナトリウムを実質的に含有しない、請求項１５に記載の組成物。
【請求項１９】
前記配合剤が、クエン酸またはその塩を実質的に含有しない、請求項１から１８のいずれか一項に記載の組成物。
【請求項２０】
製剤が約３．５〜約６の範囲のｐＨを有する、請求項１から１９のいずれか一項に記載の組成物。
【請求項２１】
請求項１から１９のいずれか一項に記載の組成物と、その薬学的に許容される輸液を調製するための指示書とを含むキット。
【請求項２２】
細菌感染を治療するための医薬組成物であって、治療有効量を含有する、請求項１から１９のいずれか一項に記載の組成物。
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
末梢神経障害又は痛覚過敏の処置又は予防を必要とする対象において末梢神経障害又は痛覚過敏を処置又は予防するための薬剤の製造におけるペプチドの使用であって、前記ペプチドが式Ｄ−Ａｒｇ−２’，６’−ジメチルチロシン−Ｌｙｓ−Ｐｈｅ−ＮＨ2を有する、使用。
【請求項２】
前記末梢神経障害又は痛覚過敏が薬物誘発性である、請求項１に記載の使用。
【請求項３】
前記薬物が化学療法薬である、請求項２に記載の使用。
【請求項４】
前記化学療法薬がプロカルバジン、ニトロフラゾン、ポドフィルム、ムスチン、エトグルシド、シスプラチン、スラミン、パクリタキセル、クロラムブシル、アルトレタミン、カルボプラチン、シタラビン、ドセタキセル、ダカルバジン、エトポシド、イホスファミドとメスナ、フルダラビン、タモキシフェン、テニポシド、チオグアニン又はビンクリスチンである、請求項３に記載の使用。
【請求項５】
前記化学療法薬がビンクリスチンである、請求項３に記載の使用。
【請求項６】
前記薬剤が前記薬物と同時に投与される、請求項２に記載の使用。
【請求項７】
前記薬剤が前記薬物に続いて投与される、請求項２に記載の使用。
【請求項８】
前記末梢神経障害が痛覚過敏を引き起こす、請求項１に記載の使用。
【請求項９】
前記対象がヒトである、請求項１に記載の使用。
【請求項１０】
前記薬剤が静脈内、経口的、皮下、経皮的、腹腔内、くも膜下腔内、筋肉内、鼻孔内、頬側、舌下、経舌的又は局所的に投与される、請求項１に記載の使用。
【請求項１１】
式Ｄ−Ａｒｇ−２’，６’−ジメチルチロシン−Ｌｙｓ−Ｐｈｅ−ＮＨ2を有するペプチドを含む、末梢神経障害又は痛覚過敏の処置又は予防を必要とする対象において末梢神経障害又は痛覚過敏を処置又は予防するための医薬組成物。
【手続補正２】
【補正対象書類名】明細書
【補正対象項目名】０１６３
【補正方法】変更
【補正の内容】
【０１６３】
他の実施形態は、添付の特許請求の範囲に記載する。
本発明の好ましい態様は、下記の通りである。
〔１〕それを必要とする対象において末梢神経障害または痛覚過敏を処置するための方法であって、式Ｄ−Ａｒｇ−２’，６’−ジメチルチロシン−Ｌｙｓ−Ｐｈｅ−ＮＨ2を有する有効量のペプチドを前記対象に投与することを含む、方法。
〔２〕前記末梢神経障害または痛覚過敏が薬物誘発性である、前記〔１〕に記載の方法。
〔３〕前記薬物が化学療法薬である、前記〔２〕に記載の方法。
〔４〕前記化学療法薬がプロカルバジン、ニトロフラゾン、ポドフィルム、ムスチン、エトグルシド、シスプラチン、スラミン、パクリタキセル、クロラムブシル、アルトレタミン、カルボプラチン、シタラビン、ドセタキセル、ダカルバジン、エトポシド、イホスファミドとメスナ、フルダラビン、タモキシフェン、テニポシド、チオグアニンまたはビンクリスチンである、前記〔３〕に記載の方法。
〔５〕前記化学療法薬がビンクリスチンである、前記〔３〕に記載の方法。
〔６〕前記ペプチドが前記薬物と同時に投与される、前記〔２〕に記載の方法。
〔７〕前記ペプチドが前記薬物に続いて投与される、前記〔２〕に記載の方法。
〔８〕前記末梢神経障害が痛覚過敏を引き起こす、前記〔１〕に記載の方法。
〔９〕前記対象がヒトである、前記〔１〕に記載の方法。
〔１０〕前記ペプチドが静脈内に、経口的、皮下、経皮的、腹腔内、くも膜下腔内、筋肉内、鼻孔内、頬側、舌下、経舌的または局所的に投与される、前記〔１〕に記載の方法。
〔１１〕それを必要とする対象において痛覚過敏を予防するための方法であって、式Ｄ−Ａｒｇ−２’，６’−ジメチルチロシン−Ｌｙｓ−Ｐｈｅ−ＮＨ2を有する有効量のペプチドを前記対象に投与することを含む、方法。
〔１２〕前記痛覚過敏が薬物誘発性である、前記〔１１〕に記載の方法。
〔１３〕前記薬物が化学療法薬である、前記〔１２〕に記載の方法。
〔１４〕前記化学療法薬がプロカルバジン、ニトロフラゾン、ポドフィルム、ムスチン、エトグルシド、シスプラチン、スラミン、パクリタキセル、クロラムブシル、アルトレタミン、カルボプラチン、シタラビン、ドセタキセル、ダカルバジン、エトポシド、イホスファミドとメスナ、フルダラビン、タモキシフェン、テニポシド、チオグアニンまたはビンクリスチンである、前記〔１３〕に記載の方法。
〔１５〕前記化学療法薬がビンクリスチンである、前記〔１３〕に記載の方法。
〔１６〕前記ペプチドが前記薬物と同時に投与される、前記〔１２〕に記載の方法。
〔１７〕前記ペプチドが前記薬物に続いて投与される、前記〔１２〕に記載の方法。
〔１８〕前記ペプチドが痛覚過敏の発症の前に投与される、前記〔１１〕に記載の方法。
〔１９〕前記対象がヒトである、前記〔１１〕に記載の方法。
〔２０〕前記ペプチドが静脈内に、経口的、皮下、経皮的、腹腔内、くも膜下腔内、筋肉内、鼻孔内、頬側、舌下、経舌的または局所的に投与される、前記〔１１〕に記載の方法。
〔２１〕それを必要とする対象において痛覚過敏を処置または予防するための組成物であって、式Ｄ−Ａｒｇ−２’，６’−ジメチルチロシン−Ｌｙｓ−Ｐｈｅ−ＮＨ2を有する有効量のペプチドを含む、組成物。
〔２２〕前記痛覚過敏が薬物誘発性である、前記〔２１〕に記載の組成物。
〔２３〕前記薬物が化学療法薬である、前記〔２２〕に記載の組成物。
〔２４〕前記化学療法薬がプロカルバジン、ニトロフラゾン、ポドフィルム、ムスチン、エトグルシド、シスプラチン、スラミン、パクリタキセル、クロラムブシル、アルトレタミン、カルボプラチン、シタラビン、ドセタキセル、ダカルバジン、エトポシド、イホスファミドとメスナ、フルダラビン、タモキシフェン、テニポシド、チオグアニンまたはビンクリスチンである、前記〔２３〕に記載の組成物。
〔２５〕前記化学療法薬がビンクリスチンである、前記〔２２〕に記載の組成物。
〔２６〕前記ペプチドが前記薬物と同時に投与される、前記〔２２〕に記載の組成物。
〔２７〕前記ペプチドが前記薬物に続いて投与される、前記〔２２〕に記載の組成物。
〔２８〕前記ペプチドが痛覚過敏の発症の前に投与される、前記〔２１〕に記載の組成物。
〔２９〕前記対象がヒトである、前記〔２１〕に記載の組成物。
〔３０〕前記ペプチドが静脈内に、経口的、皮下、経皮的、腹腔内、くも膜下腔内、筋肉内、鼻孔内、頬側、舌下、経舌的または局所的に投与される、前記〔２１〕に記載の組成物。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
哺乳動物における癌細胞のDR5を媒介したアポトーシスを誘導するための組成物であって、以下：
a）前記癌細胞のDR5受容体の細胞外ドメインに特異的に結合する、第1の抗DR5結合抗体；および
b）以下の少なくとも1つ：
i）前記DR5受容体の前記細胞外ドメインに特異的に結合する第２の抗DR5結合抗体であって、ここで前記第1の抗体および前記第２の抗体は、前記DR5受容体に対して特異的に結合することを互いに競合的に阻害せず、そしてここで前記第1の抗体および前記第２の抗体の特異的結合は、前記哺乳動物のナチュラルキラー（NK）細胞を必要とすることなく前記哺乳動物癌細胞のアポトーシスを協調的に誘導する、前記第２の抗DR5結合抗体；または、
ii）腫瘍壊死因子関連アポトーシス誘発リガンド（TRAIL）であって、ここで前記TRAILは、前記DR5受容体に特異的に結合し、前記第1の抗体および前記TRAILは、前記DR5受容体に対して特異的に結合することを互いに競合的に阻害せず、そしてここで前記第1の抗体および前記TRAILの特異的結合は、前記哺乳動物のナチュラルキラー（NK）細胞を必要とすることなく前記哺乳動物癌細胞のアポトーシスを協調的に誘導する、前記TRAIL；
を含む、前記組成物。
【請求項２】
前記哺乳動物癌細胞は、ヒト癌細胞である、請求項１に記載の組成物。
【請求項３】
前記抗体は、それぞれ完全ヒト抗体である、請求項１に記載の組成物。
【請求項４】
前記第1の抗DR5抗体または前記第２の抗DR5抗体は、架橋することなくインビトロにおいてColo205細胞におけるアポトーシスを誘導する、請求項３に記載の組成物。
【請求項５】
前記組成物は、薬学的に許容される製剤中に前記第1の抗DR5抗体および前記第２の抗DR5抗体又は前記TRAILを含む、請求項１に記載の組成物。
【請求項６】
前記第1の抗DR5結合抗体または前記第２の抗DR5結合抗体の少なくとも1つは、前記NK細胞のFCGR3Aに特異的に結合しない、請求項１に記載の組成物。
【請求項７】
前記第1の抗DR5結合抗体は、前記第２の抗DR5結合抗体または前記TRAILと組み合わせて協調的にアポトーシスを誘導する、請求項１に記載の組成物。
【請求項８】
前記第1の抗DR5結合抗体および前記TRAILを含む、請求項１に記載の組成物。
【請求項９】
前記TRAILは、LZ-TRAILである、請求項８に記載の組成物。
【請求項１０】
薬学的に許容される担体中に製剤化された、請求項７に記載の組成物。
【請求項１１】
前記抗体は、完全ヒトIgG1またはIgG2抗体である、請求項５及び７〜１０のいずれか１項に記載の組成物。
【請求項１２】
前記抗体は、N297A置換を含むヒトIgG1抗体である、請求項５及び７〜１０のいずれか１項に記載の組成物。
【請求項１３】
前記第1の抗DR5結合抗体または前記第２の抗DR5結合抗体の少なくとも1つは、非グリコシル化されたFcを含む、請求項５及び７〜１０のいずれか１項に記載の組成物。
【請求項１４】
前記第1の抗DR5結合抗体は、AMG 655である、請求項５及び７〜１０のいずれか１項に記載の組成物。
【請求項１５】
前記抗体は、FCGR3Aに対して高親和性で結合する、請求項５及び７〜１０のいずれか１項に記載の組成物。
【請求項１６】
前記抗体は、非フコシル化されている、請求項１４に記載の組成物。
【請求項１７】
哺乳動物におけるDR5を発現する癌の成長を阻害するための、治療上有効な量の請求項１に記載の組成物。
【請求項１８】
前記組成物は、化学療法剤の治療上有効な量と組み合わせて投与される、請求項１７に記載の組成物。
【請求項１９】
前記癌は、膵臓癌、結腸直腸癌または肺癌である、請求項１７に記載の組成物。
【請求項２０】
哺乳動物におけるDR5を発現する癌の成長を阻害するための、治療上有効な量の請求項５及び７〜１０のいずれか１項に記載の組成物。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、
符号化コンピュータシステムが、ビデオビットストリームを符号化し、コンピュータネットワークを介して復号化コンピュータシステムへ送信するステップであって、前記ビットストリームは、前記符号化コンピュータシステムが前記ビットストリームからの損失データを通知されていないときは標準予測構造に従う、ステップと、
前記符号化コンピュータシステムが前記ビットストリームの損失データの通知を受信するステップであって、前記損失データは、前記ビットストリームの参照フレームの少なくとも一部を備える、ステップと、
前記通知に応答して、前記符号化コンピュータシステムが、前記ビットストリーム内の１つ又は複数の他の前に送信されたフレームを参照するが前記損失データは参照しない予測による同期予測フレームを、動的に符号化するステップと、
前記符号化コンピュータシステムが、前記同期予測フレームを前記ビットストリーム内の位置に挿入するステップであって、該位置は、前記標準予測構造に従うと前記損失データを参照することになる予測による異なる予測フレームを挿入することを、前記標準予測構造が指示したであろう位置である、ステップと
を含む、方法。
【請求項２】
前記同期予測フレームは、予測キーフレームを備え、該予測キーフレームの予測は、前記参照フレームに先行する１つ又は複数の他のキーフレームを参照するものに限られる、請求項１に記載の方法。
【請求項３】
前記同期予測フレームは、長期予測キーフレームであり、該長期予測キーフレームの予測は、前記損失データに先行する１つ又は複数の他のキーフレームを参照するものに限られる、請求項１に記載の方法。
【請求項４】
前記異なる予測フレームは、前記参照フレームの拡張レイヤを参照することがあり、前記同期予測フレームは、前記損失データに先行する１つ又は複数のキーフレームを参照する予測を用いるキーフレームである、請求項１に記載の方法。
【請求項５】
前記損失データは、前記参照フレームの前記拡張レイヤの少なくとも一部を備える、請求項４に記載の方法。
【請求項６】
前記損失データは、前記参照フレームのベースレイヤの少なくとも一部を備え、前記ベースレイヤは、前記拡張レイヤの予測によって参照される、請求項４に記載の方法。
【請求項７】
前記損失データは、損失した拡張レイヤの少なくとも一部を備え、前記同期予測フレームは、アンカフレームであり、アンカフレームは、該アンカフレームのベースレイヤを参照する拡張レイヤを備え、前記アンカフレームの前記拡張レイヤの予測は、前記損失した拡張レイヤを参照することを避け、前記異なる予測フレームの拡張レイヤが前記損失した拡張レイヤを参照することになる、請求項１に記載の方法。
【請求項８】
前記アンカフレームの前記ベースレイヤの予測は、前記損失データの少なくとも一部を含むフレームの前記ベースレイヤを参照する、請求項７に記載の方法。
【請求項９】
コンピュータシステムであって、
少なくとも１つのプロセッサと、
少なくとも１つのプロセッサによって実行されると、少なくとも１つのプロセッサに、
ビデオビットストリームを符号化し、コンピュータネットワークを介して復号化コンピュータシステムへ送信するステップであって、前記ビットストリームは、当該コンピュータシステムが前記ビットストリームからの損失データを通知されていないときは標準予測構造に従う、ステップと、
前記ビットストリーム内の損失データの通知を受信するステップであって、前記損失データは、前記ビットストリームの参照フレームの少なくとも一部を備える、ステップと、
前記通知に応答して、前記損失データを参照しない予測による同期予測フレームを動的に符号化し、前記ビットストリームに挿入することによって、前記標準予測構造を修正するテップと
を含む動作を実行させる命令を備えるメモリと、
を備える、コンピュータシステム。
【請求項１０】
少なくとも１つのプロセッサによって実行されると、該少なくとも１つのプロセッサに、
符号化コンピュータシステムが、ビデオビットストリームを符号化し、コンピュータネットワークを介して復号化コンピュータシステムへ送信するステップであって、前記ビットストリームは、前記符号化コンピュータシステムが前記ビットストリームからの損失データを通知されていないときは標準予測構造に従う、ステップと、
前記符号化コンピュータシステムが前記ビットストリーム内の損失データの通知を受信するステップであって、前記損失データは、前記ビットストリームの参照フレームの少なくとも一部を備える、ステップと、
前記通知に応答して、前記符号化コンピュータシステムが、前記参照フレームに先行する前記ビットストリーム内の１つ又は複数の他のフレームを参照するが前記損失データは参照しない予測による同期予測フレームを、動的に符号化するステップと、
前記符号化コンピュータシステムが、前記同期予測フレームを前記ビットストリーム内の位置に挿入するステップであって、該位置は、前記標準予測構造に従うと前記損失データを参照することになる予測による異なる予測フレームを挿入することを前記標準予測構造が指示したであろう位置である、ステップと
を含む動作を実行させるコンピュータプログラム。